(57)【要約】【課題】電磁引外し装置の取り付け位置が少しずれた場合でも確実に開閉機構部のリセットができる漏電遮断器の電磁引外し装置を提供する。【解決手段】電磁引外し装置１は、プランジャ７の先端を細径に形成し、細径部７ａにコイルバネ１０を介在させて引外し板１２を摺動可能に取り付ける。操作ハンドルをリセット操作し引外し板１２を固定鉄心６方向に移動させて電磁引外し装置１をリセットする場合に、操作ハンドルがオフ位置になる前にプランジャ７が固定鉄心６に当接しても操作ハンドルを更に押すとコイルバネ１０が圧縮されて引外し板１２が細径部７ａを固定鉄心６方向に移動させることができ、操作ハンドルのリセット操作を完了させることができる。【選択図】図１
2006092772.tif 000002
【特許請求の範囲】
【請求項１】
電磁コイルが巻装されたボビンと、該ボビンの中心孔に設けられた固定鉄心と、前記ボビンの中心孔に案内されて摺動可能に設けられたプランジャと、該プランジャの先端に設けられて開閉機構部を遮断動作させる引外し板と、該引外し板を前記固定鉄心から遠ざける方向に付勢する圧縮バネと、前記プランジャを前記圧縮バネの力に抗して前記固定鉄心に吸着させる永久磁石と、前記ボビン及び前記永久磁石に外装するヨークとを備え、漏電発生時に前記電磁コイルが励磁して前記永久磁石の磁力を打ち消すことで前記プランジャを前記圧縮バネの力で前記ボビンから突出させて前記引外し板により前記開閉機構部を遮断動作し、前記開閉機構部の開閉操作を外部から行う操作ハンドルのリセット操作に前記引外し板のリセット部を連動させて前記引外し板を前記固定鉄心に近づける方向に移動させることによりリセットを行う漏電遮断器の電磁引外し装置において、前記プランジャと前記固定鉄心の吸着位置において前記引外し板が通常位置から更に前記固定鉄心に近づく方向へ移動可能に設けたことを特徴とする漏電遮断器の電磁引外し装置。
【発明の詳細な説明】
【技術分野】
【０００１】
本発明は、漏電遮断器の電磁引外し装置に関する。
【背景技術】
【０００２】
従来、漏電遮断器に内蔵されて漏電発生時に開閉機構部を作動させて電路を遮断するための電磁引外し装置のリセットは、例えば特許文献１に示されるように、遮断動作後にオン位置とオフ位置の中間位置にある操作ハンドル（８）をオフ位置に回動させるリセット操作に引外し板（１０）のリセット部（１０ｄ）を連動させることにより、引外し板（１０）を圧縮バネ（４７）の力に抗して固定鉄心（４４）に近づけ、プランジャ（５）と固定鉄心（４４）とを永久磁石（４５）の力で吸着させて行っている。
【０００３】
【特許文献１】特開平６−３３３４８４号公報（ｐ．４、第１，６図）
【発明の開示】
【発明が解決しようとする課題】
【０００４】
しかしながら、電磁引外し装置の取り付け位置がずれていると、電磁引外し装置のリセット時に操作ハンドルのリセット操作が完了しないうちに固定鉄心にプランジャが当接してしまうことがあり、引外し板はプランジャに固定されているため操作ハンドルがオフ位置まで操作できず、開閉機構部のリセットができないという欠点があった。
【課題を解決するための手段】
【０００５】
本発明は、電磁コイルが巻装されたボビンと、ボビンの中心孔に設けられた固定鉄心と、ボビンの中心孔に案内されて摺動可能に設けられたプランジャと、プランジャの先端に設けられて開閉機構部を遮断動作させる引外し板と、引外し板を固定鉄心から遠ざける方向に付勢する圧縮バネと、プランジャを圧縮バネの力に抗して固定鉄心に吸着させる永久磁石と、ボビン及び永久磁石に外装するヨークとを備え、漏電発生時に電磁コイルが励磁して永久磁石の磁力を打ち消すことでプランジャを圧縮バネの力でボビンから突出させて引外し板により開閉機構部を遮断動作し、開閉機構部の開閉操作を外部から行う操作ハンドルのリセット操作に引外し板のリセット部を連動させて引外し板を固定鉄心に近づける方向に移動させることによりリセットを行う漏電遮断器の電磁引外し装置において、プランジャと固定鉄心の吸着位置において引外し板が通常位置から更に固定鉄心に近づく方向へ移動可能に設けたことを特徴とする。
【発明の効果】
【０００６】
本発明によれば、電磁引外し装置の取り付け位置が少しずれた場合でも確実に開閉機構部のリセットができるという効果がある。
【発明を実施するための最良の形態】
【０００７】
電磁引外し装置は、プランジャの先端を細径に形成し、細径部にコイルバネを介在させて引外し板を摺動可能に取り付ける。操作ハンドルをリセット操作し引外し板をを固定鉄心方向に移動させて電磁引外し装置をリセットする場合に、操作ハンドルがオフ位置になる前にプランジャが固定鉄心に当接しても操作ハンドルを更に押すとコイルバネが圧縮されて引外し板が細径部を固定鉄心方向に移動させることができ、操作ハンドルのリセット操作を完了させることができる。
【実施例１】
【０００８】
本発明に係る漏電遮断器の電磁引外し装置の実施例１を図１〜図３の添付図面に基づいて説明する。
【０００９】
電磁引外し装置１は、ボビン２に電磁コイル３が巻装され、ボビン２に隣接して永久磁石４が設けられ、ボビン２と永久磁石４をヨーク５で外装している。ボビン２の中心孔には固定鉄心６が設けられ、また、プランジャ７が摺動自在に設けられている。永久磁石４は固定鉄心６にプランジャ７を吸着させる磁束Φ１を発生させており、電磁コイル３は通電されて励磁した際に永久磁石４と逆磁束Φ２を発生させて永久磁石４の磁束Φ１を打ち消すようになっている。尚、８は複数の磁性板、９は非磁性体から成るヨーク５の開口を塞ぐカバーである。
【００１０】
プランジャ７は先端側がヨーク５から突出して設けられ、このプランジャ７の先端は細径に形成され、細径部７ａの外周にはコイルバネ１０が設けられている。また、プランジャ７の太径部７ｂの外周には圧縮バネ１１が設けられ、細径部７ａの先端に引外し板１２が摺動可能に設けられ、引外し板１２は細径部７ａの先端に形成された抜け止め部７ｃによって抜け止めされている。こうしてコイルバネ１０はプランジャ７の太径部７ｂの端面と引外し板１２との間に保持されて引外し板１２をプランジャ７の細径部７ａの先端に保持するように付勢し、圧縮バネ１１はヨーク５と引外し板１２との間に保持されて引外し板１２を固定鉄心６から遠ざける方向に付勢する。
【００１１】
次に、電磁引外し装置１の動作について説明する。正常時、電磁引外し装置１は図１に示すようにプランジャ７が圧縮バネ１１の力に抗して永久磁石４の磁束Φ１によって固定鉄心６に吸着保持されている。そして、漏電が発生すると電磁コイル３が励磁して磁束Φ２を発生させ、磁束Φ２が永久磁石４の磁束Φ１を打ち消すことにより、図２に示すようにプランジャ７が圧縮バネ１１の力によってボビン２から突出し、引外し板１２が開閉機構部（図示せず）の掛合を引き外して電路を遮断する。
【００１２】
遮断後、漏電遮断器の外部から開閉機構部を開閉操作するための操作ハンドル（図示せず）はオン位置とオフ位置の中間位置になっている。そして、電磁引外し装置１をリセットするには、漏電がなくなり、電磁コイル３が励磁されていない状態で中間位置にある操作ハンドルをオフ位置にリセット操作する。すると、引外し板１２のリセット部１２ａに操作ハンドルが係止して引外し板１２を固定鉄心６に近づける方向に移動させる。そして、プランジャ７が固定鉄心６に当接するとプランジャ７は永久磁石４の磁力によって固定鉄心６に吸着保持されて電磁引外し装置１はリセットされる。
【００１３】
このとき、プランジャ７が固定鉄心６に吸着した位置で操作ハンドルのリセット操作が完了していない場合は、操作ハンドルを更にオフ方向に押すことにより図３に示すようにコイルバネ１０が圧縮されて引外し板１２がプランジャ７の細径部７ａを通常位置から固定鉄心６に近づく方向に移動するので操作ハンドルのリセット操作を完了させることができ、開閉機構部をリセットすることができる。
【図面の簡単な説明】
【００１４】
【図１】本発明に係る電磁引外し装置のリセット状態を示す断面図である。
【図２】本発明に係る電磁引外し装置の動作状態を示す断面図である。
【図３】本発明に係る電磁引外し装置のリセット位置から引外し板を電磁コイル方向に移動させた状態を示す断面図である。
【符号の説明】
【００１５】
１    電磁引外し装置
３    電磁コイル
４    永久磁石
６    固定鉄心
７    プランジャ
７ａ    細径部
７ｂ    太径部
７ｃ    抜け止め部
１０    コイルバネ
１１    圧縮バネ
１２    引外し板
１２ａ    リセット部
【図１】
2006092772.tif 000003
【図２】
2006092772.tif 000004
【図３】
2006092772.tif 000005